(57)【要約】【課題】懸賞付きプロモーションは、誰でも許可なく簡単に実施することができるため、見込み顧客の個人情報の入手手段として広く実施されているが、従来は実際に正当な方法で懸賞が実施されているかどうかの確認はできなかった。【解決手段】認証サーバーの認証情報ＤＢに賞品ＩＤが記憶されるＩＤ記憶過程と、前記懸賞賞品を配達した配送企業の配達員の情報端末より配達完了証明データが前記認証サーバーに送信される配達証明過程と、前記認証情報ＤＢにおいて前記ＩＤと前記配達完了データが照合され、全ての前記懸賞賞品が配達されたことが確認される配達確認過程とを含む懸賞実施の認証方法。【選択図】図１
2006330826.tif 000002
【特許請求の範囲】
【請求項１】
懸賞付きプロモーションにおける懸賞実施の認証方法であって、
配送企業の情報端末からプロモーション主催者の情報端末に対して認証番号データ、電子証明書データ及び／又は認証アイコンの利用許可データが送信され、配達業務請負の証明書が発行される配達業務請負証明過程と、
前記配送企業の情報端末より認証サーバーの認証情報ＤＢにプロモーションデータの送信が行われ該プロモーションデータが前記認証情報ＤＢに記録されるプロモーションデータ登録過程と、
前記プロモーション主催者の管理するプロモーション実施ウェブサイトにおいて前記認証アイコンが掲載され、懸賞参加者又は懸賞実施の認証情報閲覧希望者が有する情報端末より前記プロモーション実施ウェブサイト又は前記配送企業の開設する認証情報サイトを介して前記認証情報ＤＢに記憶されている前記認証番号データ及び前記電子証明書データの閲覧が可能とされる懸賞実施認証公開過程と、
前記認証サーバーによって前記懸賞付きプロモーションの懸賞賞品にプロモーションＩＤ及び賞品ＩＤが発行され、前記懸賞賞品の配達伝票ＩＤとのデータの紐付けが行われる賞品ＩＤ紐付け過程と、
前記懸賞賞品の配達において、賞品配達終了時に前記配送企業の配達員の所持する情報端末より配達完了を証明する配達証明データが前記認証サーバーに送信され、該認証サーバーによって前記配達証明データが前記認証情報ＤＢに記録される配達証明過程と、
前記認証サーバーが前記認証情報ＤＢに記録された前記賞品ＩＤと前記配達証明データとを照合し、前記懸賞賞品すべてが配達された際に配達完了証明データが生成され、前記プロモーション主催者の情報端末に送信されると共に前記プロモーション実施ウェブサイト及び／又は前記認証情報サイトにおいて前記配達完了証明データが公開され前記懸賞参加者又は前記懸賞実施の認証情報閲覧希望者が閲覧可能とされる配達完了公開過程と、
前記懸賞付きプロモーションの終了後も前記懸賞実施の認証情報閲覧希望者が情報端末を介して前記認証情報ＤＢに記録されている前記配達完了証明データの履歴が閲覧可能とされる履歴公開過程と
を含むことを特徴とする、懸賞付きプロモーションにおける懸賞実施の認証方法。
【請求項２】
さらに、前記プロモーション主催者の情報端末から前記懸賞賞品の配送を請け負った前記配送企業の情報端末にプロモーション内容についてのプロモーションデータが送信されプロモーション内容の登録が行われるプロモーション登録過程を含むことを特徴とする請求項１に記載の懸賞付きプロモーションにおける懸賞実施の認証方法。
【請求項３】
懸賞付きプロモーションにおける懸賞実施の認証システムであって、
配送企業の情報端末から送信されるプロモーションデータ及び前記配送企業の配達員の所持する情報端末から送信される配達証明データを受信して認証情報ＤＢに記憶し、該認証情報ＤＢに記憶されている賞品ＩＤと前記配達証明データを照合し全ての懸賞賞品の配達が完了した際に配達完了証明データを生成しプロモーション主催者の情報端末及び配送企業の情報端末に前記配達完了証明データを送信し、懸賞実施の認証情報閲覧希望者の情報端末からの前記配達完了証明データ情報閲覧に応じて閲覧データ送信を行う認証サーバーと、
前記認証情報ＤＢとを含む、懸賞付きプロモーションにおける懸賞実施の認証システム。
【請求項４】
配送企業の情報端末から送信されるプロモーションデータ及び前記配送企業の配達員の所持する情報端末から送信される配達証明データを受信して認証情報ＤＢに記憶し、該認証情報ＤＢに記憶されている賞品ＩＤと前記配達証明データを照合し全ての懸賞賞品の配達が完了した際に配達完了証明データを生成しプロモーション主催者の情報端末及び配送企業の情報端末に前記配達完了証明データを送信し、懸賞実施の認証情報閲覧希望者の情報端末からの前記配達完了証明データ情報検索・閲覧に応じて閲覧データ送信を行う認証サーバー。
【請求項５】
配送企業の情報端末から送信されるプロモーションデータ、前記配送企業の配達員の所持する情報端末から送信される配達証明データ及び賞品ＩＤが記憶される認証情報ＤＢ。
【請求項６】
懸賞実施の認証方法であって、
認証サーバーの認証情報ＤＢに賞品ＩＤが記憶されるＩＤ記憶過程と、
懸賞賞品を配達した配送企業の配達員の情報端末より配達証明データが前記認証サーバーに送信される配達証明過程と、
認証情報ＤＢにおいて前記賞品ＩＤと前記配達証明データが照合され、全ての前記懸賞賞品が配達されたことが確認される配達確認過程と
を含む懸賞実施の認証方法。
【請求項７】
前記懸賞賞品がデジタルコンテンツ及び／又は賞品のもたらす利益を享受する権利であり、前記配送企業に相当するものがデジタルコンテンツのダウンロードを証明するＤＬ証明機関又は前記権利の譲渡を証明する権利譲渡証明機関であり、前記配達業務請負はダウンロード支援業務請負又は権利譲渡業務請負であり、前記配達伝票ＩＤは賞品ダウンロードＩＤ又は賞品権利ＩＤであり、賞品配達が前記デジタルコンテンツのダウンロード許可又は前記権利の譲渡であり、前記配達証明データは前記ＤＬ証明機関又は前記権利譲渡証明機関により発行される賞品譲渡証明データであり、前記配達完了証明データが譲渡完了証明データである、請求項１に記載の懸賞付きプロモーションにおける懸賞実施の認証方法。
【請求項８】
さらに、前記プロモーション主催者の情報端末から前記ＤＬ証明機関又は前記権利譲渡証明機関の情報端末にプロモーション内容についてのプロモーションデータが送信されプロモーション内容の登録が行われるプロモーション登録過程を含むことを特徴とする請求項７に記載の懸賞付きプロモーションにおける懸賞実施の認証方法。
【請求項９】
前記懸賞賞品がデジタルコンテンツ及び／又は賞品のもたらす利益を享受する権利であり、前記配送企業に相当するものがデジタルコンテンツのダウンロードを証明するＤＬ証明機関又は前記権利の譲渡を証明する権利譲渡証明機関であり、前記賞品ＩＤは賞品ダウンロードＩＤ又は賞品権利ＩＤであり、賞品配達が前記デジタルコンテンツのダウンロード許可又は前記権利の譲渡であり、前記配達証明データは前記ＤＬ証明機関又は前記権利譲渡証明機関により発行される賞品譲渡証明データであり、前記配達完了証明データが譲渡完了証明データである、請求項３に記載の懸賞付きプロモーションにおける懸賞実施の認証システム。
【請求項１０】
ＤＬ証明機関又は権利譲渡証明機関の情報端末から送信されるプロモーションデータ及び賞品譲渡証明データを受信して認証情報ＤＢに記憶し、該認証情報ＤＢに記憶されている賞品ＩＤと前記賞品譲渡証明データを照合し全ての懸賞賞品の譲渡が完了した際に譲渡完了証明データを生成しプロモーション主催者の情報端末及びＤＬ証明機関又は権利譲渡証明機関の情報端末に前記譲渡完了証明データを送信し、懸賞実施の認証情報閲覧希望者の情報端末からの前記譲渡完了証明データ情報検索・閲覧に応じて閲覧データ送信を行う認証サーバー。
【請求項１１】
ＤＬ証明機関又は権利譲渡証明機関の情報端末から送信されるプロモーションデータ、前記ＤＬ証明機関又は権利譲渡証明機関から発行される譲渡完了証明データ及び賞品ＩＤが記憶される認証情報ＤＢ。
【請求項１２】
前記懸賞賞品がデジタルコンテンツ及び／又は賞品のもたらす利益を享受する権利であり、前記配送企業又は前記配送企業の配達員に相当するものがデジタルコンテンツのダウンロードを証明するＤＬ証明機関又は前記権利の譲渡を証明する権利譲渡証明機関であり、賞品配達が前記デジタルコンテンツのダウンロード許可又は前記権利の譲渡であり、前記配達証明データは前記ＤＬ証明機関又は前記権利譲渡証明機関により発行される賞品譲渡証明データである、請求項６に記載の懸賞実施の認証方法。
【発明の詳細な説明】
【技術分野】
【０００１】
本発明は、特に懸賞付きプロモーションにおける懸賞実施の認証方法及び認証システムに関する。
【背景技術】
【０００２】
懸賞付きプロモーションは、誰でも許可なく簡単に実施することができるため、見込み顧客の個人情報の入手手段として広く実施されているが、従来は実際に正当な方法で懸賞が実施されているかどうかの確認はできなかった。（例えば、特許文献１を参照）そのためインターネットを中心に、実際には懸賞賞品の発送を行わない偽懸賞によって顧客や会員を獲得する主催者が増え、懸賞参加者の間で不安が広がっている。
【特許文献１】特開２００４―３２６６５５号公報
【発明の開示】
【発明が解決しようとする課題】
【０００３】
本発明は、このような状況に鑑みてなされたものであり、上記問題点を解決できる懸賞実施の認証方法及び認証システムを提供することを目的とする。
【課題を解決するための手段】
【０００４】
本発明は上記課題を解決すべく、以下に掲げる構成とした。
請求項１記載の発明の要旨は、懸賞付きプロモーションにおける懸賞実施の認証方法であって、
配送企業の情報端末からプロモーション主催者の情報端末に対して認証番号データ、電子証明書データ及び／又は認証アイコンの利用許可データが送信され、配達業務請負の証明書が発行される配達業務請負証明過程と、
前記配送企業の情報端末より認証サーバーの認証情報ＤＢにプロモーションデータの送信が行われ該プロモーションデータが前記認証情報ＤＢに記録されるプロモーションデータ登録過程と、
前記プロモーション主催者の管理するプロモーション実施ウェブサイトにおいて前記認証アイコンが掲載され、懸賞参加者又は懸賞実施の認証情報閲覧希望者が有する情報端末より前記プロモーション実施ウェブサイト又は前記配送企業の開設する認証情報サイトを介して前記認証情報ＤＢに記憶されている前記認証番号データ及び前記電子証明書データの閲覧が可能とされる懸賞実施認証公開過程と、
前記認証サーバーによって前記懸賞付きプロモーションの懸賞賞品にプロモーションＩＤ及び賞品ＩＤが発行され、前記懸賞賞品の配達伝票ＩＤとのデータの紐付けが行われる賞品ＩＤ紐付け過程と、
前記懸賞賞品の配達において、賞品配達終了時に前記配送企業の配達員の所持する情報端末より配達完了を証明する配達証明データが前記認証サーバーに送信され、該認証サーバーによって前記配達証明データが前記認証情報ＤＢに記録される配達証明過程と、
前記認証サーバーが前記認証情報ＤＢに記録された前記賞品ＩＤと前記配達証明データとを照合し、前記懸賞賞品すべてが配達された際に配達完了証明データが生成され、前記プロモーション主催者の情報端末に送信されると共に前記プロモーション実施ウェブサイト及び／又は前記認証情報サイトにおいて前記配達完了証明データが公開され前記懸賞参加者又は前記懸賞実施の認証情報閲覧希望者が閲覧可能とされる配達完了公開過程と、
前記懸賞付きプロモーションの終了後も前記懸賞実施の認証情報閲覧希望者が情報端末を介して前記認証情報ＤＢに記録されている前記配達完了証明データの履歴が閲覧可能とされる履歴公開過程と
を含むことを特徴とする、懸賞付きプロモーションにおける懸賞実施の認証方法に存する。  
請求項２記載の発明の要旨は、さらに、前記プロモーション主催者の情報端末から前記懸賞賞品の配送を請け負った前記配送企業の情報端末にプロモーション内容についてのプロモーションデータが送信されプロモーション内容の登録が行われるプロモーション登録過程を含むことを特徴とする請求項１に記載の懸賞付きプロモーションにおける懸賞実施の認証方法に存する。  
請求項３記載の発明の要旨は、懸賞付きプロモーションにおける懸賞実施の認証システムであって、
配送企業の情報端末から送信されるプロモーションデータ及び前記配送企業の配達員の所持する情報端末から送信される配達証明データを受信して認証情報ＤＢに記憶し、該認証情報ＤＢに記憶されている賞品ＩＤと前記配達証明データを照合し全ての懸賞賞品の配達が完了した際に配達完了証明データを生成しプロモーション主催者の情報端末及び配送企業の情報端末に前記配達完了証明データを送信し、懸賞実施の認証情報閲覧希望者の情報端末からの前記配達完了証明データ情報閲覧に応じて閲覧データ送信を行う認証サーバーと、
前記認証情報ＤＢとを含む、懸賞付きプロモーションにおける懸賞実施の認証システムに存する。  
請求項４記載の発明の要旨は、配送企業の情報端末から送信されるプロモーションデータ及び前記配送企業の配達員の所持する情報端末から送信される配達証明データを受信して認証情報ＤＢに記憶し、該認証情報ＤＢに記憶されている賞品ＩＤと前記配達証明データを照合し全ての懸賞賞品の配達が完了した際に配達完了証明データを生成しプロモーション主催者の情報端末及び配送企業の情報端末に前記配達完了証明データを送信し、懸賞実施の認証情報閲覧希望者の情報端末からの前記配達完了証明データ情報検索・閲覧に応じて閲覧データ送信を行う認証サーバーに存する。  
請求項５記載の発明の要旨は、配送企業の情報端末から送信されるプロモーションデータ、前記配送企業の配達員の所持する情報端末から送信される配達証明データ及び賞品ＩＤが記憶される認証情報ＤＢに存する。  
請求項６記載の発明の要旨は、懸賞実施の認証方法であって、
認証サーバーの認証情報ＤＢに賞品ＩＤが記憶されるＩＤ記憶過程と、
懸賞賞品を配達した配送企業の配達員の情報端末より配達証明データが前記認証サーバーに送信される配達証明過程と、
認証情報ＤＢにおいて前記賞品ＩＤと前記配達証明データが照合され、全ての前記懸賞賞品が配達されたことが確認される配達確認過程と
を含む懸賞実施の認証方法に存する。  
請求項７記載の発明の要旨は、前記懸賞賞品がデジタルコンテンツ及び／又は賞品のもたらす利益を享受する権利であり、前記配送企業に相当するものがデジタルコンテンツのダウンロードを証明するＤＬ証明機関又は前記権利の譲渡を証明する権利譲渡証明機関であり、前記配達業務請負はダウンロード支援業務請負又は権利譲渡業務請負であり、前記配達伝票ＩＤは賞品ダウンロードＩＤ又は賞品権利ＩＤであり、賞品配達が前記デジタルコンテンツのダウンロード許可又は前記権利の譲渡であり、前記配達証明データは前記ＤＬ証明機関又は前記権利譲渡証明機関により発行される賞品譲渡証明データであり、前記配達完了証明データが譲渡完了証明データである、請求項１に記載の懸賞付きプロモーションにおける懸賞実施の認証方法に存する。  
請求項８記載の発明の要旨は、さらに、前記プロモーション主催者の情報端末から前記ＤＬ証明機関又は前記権利譲渡証明機関の情報端末にプロモーション内容についてのプロモーションデータが送信されプロモーション内容の登録が行われるプロモーション登録過程を含むことを特徴とする請求項７に記載の懸賞付きプロモーションにおける懸賞実施の認証方法に存する。  
請求項９記載の発明の要旨は、前記懸賞賞品がデジタルコンテンツ及び／又は賞品のもたらす利益を享受する権利であり、前記配送企業に相当するものがデジタルコンテンツのダウンロードを証明するＤＬ証明機関又は前記権利の譲渡を証明する権利譲渡証明機関であり、前記賞品ＩＤは賞品ダウンロードＩＤ又は賞品権利ＩＤであり、賞品配達が前記デジタルコンテンツのダウンロード許可又は前記権利の譲渡であり、前記配達証明データは前記ＤＬ証明機関又は前記権利譲渡証明機関により発行される賞品譲渡証明データであり、前記配達完了証明データが譲渡完了証明データである、請求項３に記載の懸賞付きプロモーションにおける懸賞実施の認証システムに存する。  
請求項１０記載の発明の要旨は、ＤＬ証明機関又は権利譲渡証明機関の情報端末から送信されるプロモーションデータ及び賞品譲渡証明データを受信して認証情報ＤＢに記憶し、該認証情報ＤＢに記憶されている賞品ＩＤと前記賞品譲渡証明データを照合し全ての懸賞賞品の譲渡が完了した際に譲渡完了証明データを生成しプロモーション主催者の情報端末及びＤＬ証明機関又は権利譲渡証明機関の情報端末に前記譲渡完了証明データを送信し、懸賞実施の認証情報閲覧希望者の情報端末からの前記譲渡完了証明データ情報検索・閲覧に応じて閲覧データ送信を行う認証サーバーに存する。  
請求項１１記載の発明の要旨は、ＤＬ証明機関又は権利譲渡証明機関の情報端末から送信されるプロモーションデータ、前記ＤＬ証明機関又は権利譲渡証明機関から発行される譲渡完了証明データ及び賞品ＩＤが記憶される認証情報ＤＢに存する。  
請求項１２記載の発明の要旨は、前記懸賞賞品がデジタルコンテンツ及び／又は賞品のもたらす利益を享受する権利であり、前記配送企業又は前記配送企業の配達員に相当するものがデジタルコンテンツのダウンロードを証明するＤＬ証明機関又は前記権利の譲渡を証明する権利譲渡証明機関であり、賞品配達が前記デジタルコンテンツのダウンロード許可又は前記権利の譲渡であり、前記配達証明データは前記ＤＬ証明機関又は前記権利譲渡証明機関により発行される賞品譲渡証明データである、請求項６に記載の懸賞実施の認証方法に存する。  
【発明の効果】
【０００５】
本発明の懸賞実施の認証方法及び認証システムは、配達記録を利用した懸賞実施の認証が行われ、当選者に確実に商品発送が行われたという当選者対応の正確性や懸賞内容の正確性が保証されるため、懸賞応募者が安心して当該懸賞付きプロモーションに応募できるという効果を奏する。
【発明を実施するための最良の形態】
【０００６】
以下に、図を参照しつつ本発明の実施形態を詳細に説明する。
図１に示すように、本発明は認証サーバー、認証情報ＤＢ、配送企業の情報端末及び配送企業の配達員が所持する情報端末から構成され、任意でプロモーション主催者のプロモーション実施サイト、配送企業の認証情報サイト、懸賞実施の認証情報閲覧希望者の情報端末を含み得る。
【０００７】
認証サーバーは、懸賞賞品の配送を請け負った配送企業の情報端末から送信されるプロモーションデータを受信し、後述する認証情報ＤＢに記憶する。プロモーションデータとは、プロモーション主催者の情報端末から懸賞賞品の配送を請け負った配送企業の情報端末に送信されるデータであって、プロモーションの名称、期間、抽選日、賞品の種類と数、当選者数、概要などのプロモーション内容に関するデータである。プロモーション主催者は懸賞賞品の配送を請け負う配送企業との契約時に、このプロモーションデータを配送企業に送信し、プロモーション内容の登録申請を行うことが望ましい。
【０００８】
認証サーバーは、配送企業の情報端末より送信されたプロモーションデータを元に、プロモーションＩＤ、賞品ＩＤのデータ生成を行う。プロモーションＩＤとは、当該懸賞付きプロモーションを識別するためのＩＤであり、任意の文字列、数列や画像などによって構成され得るＩＤである。賞品ＩＤとは、懸賞賞品の１つ１つに付されるＩＤであり、その構成はプロモーションＩＤと同様である。認証サーバーによって、認証情報ＤＢに記憶されるプロモーションＩＤ、賞品ＩＤ及び配達伝票ＩＤが紐付けされる。配達伝票ＩＤとは、懸賞賞品の配達時に賞品に付される伝票番号である。（図２を参照）
【０００９】
また認証サーバーは、懸賞賞品が配達される際に、配送企業の配達員が所持する情報端末より送信される配達証明データを受信し、認証情報ＤＢに記憶する。配達証明データは電子証明書の形式であることが好ましく、また配達証明データには配達伝票ＩＤの情報が含まれていることが望ましい。認証情報ＤＢに記憶された配達証明データと賞品ＩＤ及び配達伝票ＩＤを照合し、全ての懸賞賞品の配達の完了をもって、認証サーバーは配達完了証明データを生成する。この配達完了証明データはプロモーション主催者の情報端末及び配送企業の情報端末に送信され、プロモーション主催者の運営するプロモーション実施サイトや配送企業等の運営する認証情報サイトにて、当該プロモーションにおいて懸賞実施が確実に行われたことを証明するために使用される。この配達完了証明データは、懸賞実施の認証情報閲覧希望者の情報端末から前記プロモーション実施サイトや前記認証情報サイトを通じて閲覧することも可能である。（図３を参照）
【００１０】
認証情報ＤＢは上記のように、プロモーションデータ、プロモーションＩＤ、賞品ＩＤ、配達伝票ＩＤ、配達証明データ、及び配達完了証明データ等を記憶する。またこの認証情報ＤＢは、過去に行われた懸賞付きプロモーションの履歴も記憶しており、この履歴も懸賞実施の認証情報閲覧希望者の情報端末から前記認証情報サイト等を通じて検索・閲覧することも可能である。
【００１１】
なお、本発明の懸賞実施の認証方法及び認証システムは、懸賞賞品を有体物に限定することなく、懸賞賞品が携帯電話の着信メロディ・情報端末向けの壁紙などのデジタルコンテンツであっても、また旅行の権利・電子クーポンなどの当選者が利益を享受する権利であってもよい。このような場合は、配送企業に相当するものはデジタルコンテンツをダウンロードを証明するＤＬ証明機関又は権利の譲渡を証明する権利譲渡証明機関であり、配達業務請負に相当するものはダウンロード支援業務請負又は権利譲渡業務請負であり、配達伝票ＩＤに相当するものは賞品ダウンロードＩＤ又は賞品権利ＩＤであり、賞品配達に相当するものはデジタルコンテンツのダウンロード許可又は権利の譲渡であり、配達証明データに相当するものはＤＬ証明機関又は権利譲渡証明機関の発行する賞品譲渡証明データであり、配達完了証明データに相当するものは譲渡完了証明データとなる。このように、本発明の本質的構成を変えることなく、無体物を懸賞賞品とした場合においても本発明は実施可能である。
【実施例１】
【００１２】
以下、本発明の実施例を図４に基づいて詳細に説明する。
【００１３】
まず、プロモーション主催者は配送企業に対し、プロモーション内容の登録申請を行うことが好ましい。このプロモーション内容とは、既述のプロモーションデータにおける内容を含むものである。この申請において、配送企業と主催者との間で当選者に対しての配送業務を行う契約を予め結び、プロモーション主催者の情報端末から配送企業の情報端末に対してプロモーションデータを送信することが好ましい。（申請過程）
【００１４】
配送契約を請け負った配送業者は、申請されたプロモーションについて配送業務を請け負ったことを証明する証明書をプロモーション主催者に発行する。この証明書の発行とは、認証番号の発行、電子証明書の発行及び認証マーク・認証アイコンの利用許可などであることが好ましい。（登録過程）
【００１５】
配送企業は、証明書の発行後、認証情報ＤＢにプロモーションデータの登録を行う。プロモーションデータが認証情報ＤＢに記憶された後、認証アイコンの掲載されたプロモーション実施サイトからリンクを通じて、あるいは配送企業等の運営する認証情報サイトを通じて認証情報の検索及び閲覧が可能となるように、認証サーバーを通じて配送業務を請け負ったことを証明する証明書を一般に公開する。（公開過程）
【００１６】
プロモーション主催者は、告知媒体に認証番号、認証アイコン又は認証マークなどの設置を行うことで、当該懸賞付きプロモーションの実施証明を行うことができる。告知媒体は、Webサイトであっても、また印刷物や公共放送などの映像配信であっても良い。懸賞参加者或いは懸賞実施の認証情報閲覧希望者は、プロモーション実施サイトや認証情報サイトを通じて、認証番号による検索或いは認証アイコンからのリンクにより懸賞実施の確認ができる。（実施過程）
【００１７】
当該懸賞付きプロモーションの実施期間が終了した後、申請された賞品が全て配送されたかの確認は、配送企業の配達員が所持する情報端末から認証サーバーに送信される配達完了通知データ、即ち配達証明によって行われる。配達員によって全ての懸賞賞品が配達された時点で、懸賞実施の完了とし、認証サーバーによって配達完了証明データが生成され、この配達完了証明データは認証情報ＤＢに記憶され、プロモーション実施サイトや認証情報サイトを通じて一般公開される。（認証過程）
【００１８】
プロモーション内容、配達証明及び実施の完了等の実施証明内容については、当該プロモーションの実施期間が終了した後も、プロモーション実施サイトや認証情報サイトを通じて主催者・認証番号などで検索し閲覧することができる。（履歴過程）
【図面の簡単な説明】
【００１９】
【図１】本発明の認証システムの概略図
【図２】プロモーションＩＤ、賞品ＩＤ及び伝票番号ＩＤの説明図
【図３】配達証明の説明図
【図４】本発明の認証方法のフローチャート
【図２】
2006330826.tif 000003
【図４】
2006330826.tif 000004
【図１】
2006330826.tif 000005
【図３】
2006330826.tif 000006